(57)【要約】【課題】本発明は、システムコントローラと、エンジンとで、スリープ状態からの復帰条件が異なる場合においても、実行不可能な動作を好適に示すユーザインタフェースを提供する。【解決手段】本印刷装置は、スタンバイ状態と、該スタンバイ状態よりも電力消費を抑えた省電力状態とを含む。また、本印刷装置は、装置を統括的に制御するＣＰＵ（システムコントローラ）と、装置の機能を提供するための複数のエンジンと、スタンバイ状態及び前記省電力状態に従って、ＣＰＵ及び複数のエンジンへの電力供給を制御する電源制御部とを備える。また、電源制御部は、省電力状態からスタンバイ状態へ移行させる際に、複数のエンジンがスタンバイ状態へ復帰可能となったことが確認された後に、スタンバイ状態における電力制御を行う。【選択図】  図９
2020062760.tif 000002
【特許請求の範囲】
【請求項１】
スタンバイ状態と、該スタンバイ状態よりも電力消費を抑えた省電力状態とを含む印刷装置であって、
装置を統括的に制御する制御手段と、
装置の機能を提供するための複数のエンジンと、
前記スタンバイ状態及び前記省電力状態に従って、前記制御手段及び前記複数のエンジンへの電力供給を制御する電源制御手段と
を備え、
前記電源制御手段は、前記省電力状態から前記スタンバイ状態へ移行させる際に、前記複数のエンジンが前記スタンバイ状態へ復帰可能となったことが確認された後に、前記スタンバイ状態における電力制御を行うことを特徴とする印刷装置。
【請求項２】
前記省電力状態へ移行すると開始され、所定時間が経過すると満了する割り込みタイマをさらに備え、
前記複数のエンジンが前記スタンバイ状態へ復帰可能な状態とは前記割り込みタイマが満了した状態であることを特徴とする請求項１に記載の印刷装置。
【請求項３】
前記割り込みタイマは、装置の電力状態に関わらず、電池から電力が供給されることを特徴とする請求項２に記載の印刷装置。
【請求項４】
前記省電力状態には、少なくとも制御手段に電力が供給される第１スリープ状態と、該第１スリープ状態よりも電力消費を抑えた第２スリープ状態とが含まれ、
前記制御手段は、
前記第１スリープ状態へ移行すると、前記複数のエンジンが前記スタンバイ状態へ復帰可能となったこと示すフラグをＯＦＦに設定して、前記割り込みタイマを開始させ、
前記割り込みタイマが満了すると、前記フラグをＯＮに設定することを特徴とする請求項２又は３に記載の印刷装置。
【請求項５】
前記複数のエンジンを利用するためのキーと表示デバイスとを少なくとも含む操作部を備え、
前記制御手段は、
前記第１スリープ状態から前記スタンバイ状態への移行する際に、前記表示デバイスを点灯し、その後、前記複数のエンジンが前記スタンバイ状態へ復帰可能となったことが確認されると、前記キーに設けられたＬＥＤを点灯することを特徴とする請求項４に記載の印刷装置。
【請求項６】
前記複数のエンジンには、プリンタ、スキャナ、及びファックスのエンジンの少なくとも１つが含まれることを特徴とする請求項１乃至５の何れか１項に記載の印刷装置。
【請求項７】
スタンバイ状態と、該スタンバイ状態よりも電力消費を抑えた省電力状態とを含み、装置を統括的に制御する制御手段と、装置の機能を提供するための複数のエンジンと、前記スタンバイ状態及び前記省電力状態に従って、前記制御手段及び前記複数のエンジンへの電力供給を制御する電源制御手段とを備える印刷装置の制御方法であって、
電源制御手段が、前記省電力状態から前記スタンバイ状態へ移行させる際に、前記複数のエンジンが前記スタンバイ状態へ復帰可能となったことが確認された後に、前記スタンバイ状態における電力制御を行う工程
を含むことを特徴とする印刷装置の制御方法。
【請求項８】
スタンバイ状態と、該スタンバイ状態よりも電力消費を抑えた省電力状態とを含み、装置を統括的に制御する制御手段と、装置の機能を提供するための複数のエンジンと、前記スタンバイ状態及び前記省電力状態に従って、前記制御手段及び前記複数のエンジンへの電力供給を制御する電源制御手段とを備える印刷装置の制御方法における各工程をコンピュータに実行させるためのプログラムであって、前記制御方法は、
電源制御手段が、前記省電力状態から前記スタンバイ状態へ移行させる際に、前記複数のエンジンが前記スタンバイ状態へ復帰可能となったことが確認された後に、前記スタンバイ状態における電力制御を行う工程
を含むことを特徴とするプログラム。
【発明の詳細な説明】
【技術分野】
【０００１】
本発明は、印刷装置、その制御方法、及びプログラムに関する。
【背景技術】
【０００２】
従来、印刷装置等においては省電力を実現するために、使用していない部分への電力供給を停止するスリープ状態を動作モードとして保持している。スリープ状態では、タッチパネルやＬＥＤキーなどの表示部を消灯させ、タッチパネル押下やキー押下を検知した場合などにスタンバイ状態へ復帰すると、再びタッチパネルやＬＥＤキーなどの表示部を点灯させることが一般的に知られている。
【０００３】
特許文献１には、複写機能をオフしたスリープ状態へ移行したときに、メイン電源のオン／オフが分かるように、ＬＣＤの動作を停止し、タリーランプを点灯させるファクシミリ装置が提案されている。
【先行技術文献】
【特許文献】
【０００４】
【特許文献１】特開平08-069225号公報
【発明の概要】
【発明が解決しようとする課題】
【０００５】
しかしながら、上記従来技術には以下に記載する課題がある。例えば、上記従来技術のような省電力制御の場合、印刷装置の内部モジュールごとでスリープ状態からスタンバイ復帰可能な条件が異なる場合に、ＬＥＤ等を点灯させても使用できないキーが存在することになる。例えば印刷装置はコントローラユニット（システムコントローラ）と、プリンタ、スキャナ、及びファックスなどのエンジンとを含んで構成される。このときコントローラユニットは制限なくスリープ状態からスタンバイ復帰可能であるが、プリンタはスリープ状態への移行から（より詳細には、スリープへの移行指示から）７秒経過後でなければスタンバイ復帰できない、などの制限がある。このような場合において、スリープ状態への移行から７秒以内においては、コントローラユニットのみで動作する設定変更などの操作は行えるものの、スキャナやプリンタを用いるコピー動作などを行うことはできない。従って、タッチパネルやＬＥＤキーなどの表示部を、コントローラユニットの電力状態に合わせて全て点灯してしまうと、ユーザに現状使用できないキーを使用できるかのように提示してしまいユーザビリティが低下してしまう。
【０００６】
本発明は、上述の問題の少なくとも一つに鑑みて成されたものであり、システムコントローラと、エンジンとで、スリープ状態からの復帰条件が異なる場合においても、実行不可能な動作を好適に示すユーザインタフェースを提供することを目的とする。
【課題を解決するための手段】
【０００７】
本発明は、例えば、スタンバイ状態と、該スタンバイ状態よりも電力消費を抑えた省電力状態とを含む印刷装置であって、装置を統括的に制御する制御手段と、装置の機能を提供するための複数のエンジンと、前記スタンバイ状態及び前記省電力状態に従って、前記制御手段及び前記複数のエンジンへの電力供給を制御する電源制御手段とを備え、前記電源制御手段は、前記省電力状態から前記スタンバイ状態へ移行させる際に、前記複数のエンジンが前記スタンバイ状態へ復帰可能となったことが確認された後に、前記スタンバイ状態における電力制御を行うことを特徴とする。
【発明の効果】
【０００８】
本発明によれば、システムコントローラと、エンジンとで、スリープ状態からの復帰条件が異なる場合においても、実行不可能な動作を好適に示すユーザインタフェースを提供することができる。
【図面の簡単な説明】
【０００９】
【図１】一実施形態に係る画像形成装置の制御構成を示すブロック図。
【図２】一実施形態に係る画像形成装置の電源回路図を示すブロック図。
【図３】一実施形態に係る画像形成装置の電源ＯＦＦ時の給電状態を示す図。
【図４】一実施形態に係る画像形成装置の第２スリープ時の給電状態を示す図。
【図５】一実施形態に係る画像形成装置の第１スリープ時の給電状態を示す図。
【図６】一実施形態に係る画像形成装置のスタンバイ時の給電状態を示す図。
【図７】一実施形態に係る画像形成装置の操作部を示す図。
【図８】一実施形態に係る画像形成装置がスタンバイ状態から第１スリープ状態へ移行する際の動作フローを示す図。
【図９】一実施形態に係る画像形成装置が第１スリープ状態からスタンバイ状態へ移行する際の動作フローを示す図。
【発明を実施するための形態】
【００１０】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。なお、実施形態に係る印刷装置として複合機（デジタル複合機／ＭＦＰ／Ｍｕｌｔｉ  Ｆｕｎｃｔｉｏｎ  Ｐｅｒｉｐｈｅｒａｌ）を例に説明する。しかしながら本発明の主旨を逸脱しない範囲で、レーザプリンタやＦＡＸなどの電子写真方式の印刷装置に適用することが可能である。また、本発明は、適用対象を印刷装置に限定する必要はなく、画像形成機能や画像処理機能を有していない情報処理装置にも適用することも可能である。
【００１１】
＜画像形成装置（印刷装置）の構成＞
以下では、添付図面を参照して、本発明の一実施形態について説明する。まず、図１を参照して、一実施形態に係る画像形成装置（印刷装置）１０のハードウェア構成を説明する。
【００１２】
画像形成装置１０は、コントローラユニット１０１及び操作部１０５に加えて、プリンタ１０８、ファックス１１０、及びスキャナ１１３の各種エンジンを備える。コントローラユニット１０１は、システムバス１１７を介して接続される、ＣＰＵ１０２、ＲＡＭ１０３、操作部Ｉ／Ｆ１０４、ネットワークＩ／Ｆ１０６、ＲＯＭ１０７、イメージバスＩ／Ｆ１０９、割り込みタイマ１１４、及び電源制御部１１５を備える。さらに、コントローラユニット１０１は、画像バス１１６を介して接続される、デバイスＩ／Ｆ及び画像処理部１１２を備える。なお、画像バス１１６には、イメージバスＩ／Ｆ１０９及び電源制御部１１５も接続される。また、コントローラユニット１０１は、スキャナ１１３、プリンタ１０８、及びファックス１１０と接続する。スキャナ１１３は、文書等の画像を読み取って画像データを入力する画像入力デバイスである。プリンタ１０８は、コントローラユニット１０１から出力された画像データを出力する画像出力デバイスである。ファックス１１０は、ファックス画像の送受信を行う。
【００１３】
ＣＰＵ１０２は、コントローラユニット１０１全体を統括的に制御する。ＲＡＭ１０３は、ＣＰＵ１０２が動作するためのシステムワークメモリであり、且つ画像データを一時記憶するための画像メモリである。ＲＯＭ１０７は、ブートＲＯＭであり、システムのブートプログラムが格納されている。電源制御部１１５は画像形成装置１０内部の各ユニットの動作に必要な電力を供給し、ＣＰＵ１０２によって制御される。割り込みタイマ１１４はＣＰＵ１０２から指定された時間にタイマ割り込みを発生させ電源制御部１１５へ通知する。操作部Ｉ／Ｆ１０４は、操作部１０５とのインタフェース部であり、操作部１０５に表示する画像データを操作部１０５に対して出力する。また、操作部Ｉ／Ｆ１０４は、操作部１０５からユーザが入力した情報をＣＰＵ１０２に伝える機能を有する。ネットワークＩ／Ｆ１０６は、ネットワークに接続され、外部装置と情報の入出力を行う。
【００１４】
イメージバスＩ／Ｆ１０９は、データ構造を変換するバスブリッジであり、システムバス１１７及び画像データを高速で転送する画像バス１１６に接続されている。画像バス１１６は、ＰＣＩバス又はＩＥＥＥ１３９４で構成される。画像バス１１６上には、デバイスＩ／Ｆ１１１、及び画像処理部１１２の各デバイスが配置される。デバイスＩ／Ｆ１１１は、スキャナ１１３、プリンタ１０８、ファックス１１０と、コントローラユニット１０１とを接続する。画像処理部１１２は、画像データに対して補正、加工、及び編集を行う画像処理を実行する。なお、本実施形態では、印刷装置の機能を提供するための複数のエンジンとして、スキャナ１１３、プリンタ１０８、及びファックス１１０を備える構成を示すが、本発明を限定する意図はない。例えば、これらのエンジンのうち、少なくとも１つのエンジンが含まれればよく、或いは、他のエンジンが含まれてもよい。
【００１５】
＜電源回路＞
次に、図２を参照して、本実施形態に係る画像形成装置１０の電源回路の構成について説明する。なお、図２については給電状態については表していない。
【００１６】
第１電源供給部２０２は、プラグＰを介して供給される交流電力を直流電力（例えば、５．１Ｖ（第１の出力電力））に変換して出力する。第１電源供給部２０２から出力された直流電力は、第１電源系統のデバイス（電源制御部１１５、ＣＰＵ１０２、ＲＡＭ１０３、ＲＯＭ１０７、操作部１０５、及び画像処理部１１２）に供給される。割り込みタイマ１１４については電池で駆動するように構成されており外部からの電源供給を必要としない。第２電源供給部２０３は、プラグＰを介して供給される交流電力を直流電力（例えば、２４Ｖ）に変換して出力する。第２電源供給部２０３から出力された直流電力は、第２電源系統のデバイス（プリンタ１０８、スキャナ１１３、及びファックス１１０）に供給される。ファックス１１０については電話回線から電力を供給することもでき、この場合は第２電源供給部２０３からファックス１１０へは電力の供給を行わなくてよい。
【００１７】
また、第１電源供給部２０２と第１電源系統のデバイスとの間には、ユーザの操作によってＯＮ状態又はＯＦＦ状態となる電源スイッチ２０４が設けられる。電源制御部１１５には、電源スイッチ２０４の状態（ＯＮ状態又はＯＦＦ状態）を示す信号Ｄが入力される。一方、プラグＰと第２電源供給部２０３との間には、リレースイッチ２０５が設けられる。リレースイッチ２０５は、電源制御部１１５から出力される制御信号Ｆによって、ＯＮ状態からＯＦＦ状態、又はＯＦＦ状態からＯＮ状態に切り替えられる。
【００１８】
電源スイッチ２０４と、ＣＰＵ１０２、ＲＯＭ１０７、及び画像処理部１１２との間には、スイッチ２０６が設けられる。スイッチ２０６は、電源制御部１１５から出力される制御信号Ｈによって、ＯＮ状態からＯＦＦ状態、又はＯＦＦ状態からＯＮ状態に切り替えられる。第２電源供給部２０３とプリンタ１０８間には、スイッチ２０７が設けられる。
【００１９】
第２電源供給部２０３とスキャナ１１３間には、スイッチ２０８が設けられる。これらのスイッチ２０７及びスイッチ２０８は、電源制御部１１５から出力される制御信号Ｋによって、ＯＮ状態からＯＦＦ状態、又はＯＦＦ状態からＯＮ状態に切り替えられる。第２電源供給部２０３とファックス１１０との間には、スイッチ２０９が設けられる。また外部電話回線の電力供給部とファックス１１０の間にはスイッチ２１０が設けられる。これらのスイッチ２０９及びスイッチ２１０は、電源制御部１１５から出力される制御信号Ｎによって、ＯＮ状態からＯＦＦ状態、又はＯＦＦ状態からＯＮ状態に切り替えられる。
【００２０】
＜電源ＯＦＦ時の給電状態＞
次に、図３を参照して、画像形成装置１０が電源ＯＦＦ時の給電状態を説明する。網掛けのブロックについては電力供給されていない状態（非給電状態）を示す。一方、網掛けのないブロックについては電力供給されている状態（給電状態）を示す。なお、以下の図面についても同様である。
【００２１】
電源ＯＦＦ状態では、各スイッチ２０４〜２１０がＯＦＦ状態となる。従って、各負荷には電力供給がされる状態となり、電池で駆動する割り込みタイマ１１４にのみ電力が供給される状態となる。
【００２２】
＜第２スリープ状態時の給電状態＞
次に、図４を参照して、画像形成装置１０が第２スリープ状態時の給電状態を説明する。第２スリープ状態は、第１スリープ状態よりも電力供給を行う負荷が少なく、より電力消費を抑えた状態である。なお、以下では、第１スリープ状態及び第２スリープ状態を総称して、省電力状態と称する。第２スリープ状態では、スイッチ２０４がＯＮ状態であり、その他のスイッチはＯＦＦ状態となる。従って、第１電源供給部２０２から出力された直流電力が、電源制御部１１５、ＲＡＭ１０３に供給され、電池からの電力が割り込みタイマ１１４に供給される。他の負荷は非給電状態となる。
【００２３】
ＣＰＵ１０２は、第２スリープ状態へ移行する際に、割り込みタイマ１１４へ割り込み時間を設定する。割り込みタイマ１１４は設定された割り込み時間になると（満了すると）、制御信号Ｒによって電源制御部１１５へ割り込み通知を行う。制御信号Ｒの割り込み通知を受けると電源制御部１１５は、第１スリープ状態へ移行するように制御を行う。これにより画像形成装置１０は周期的に第２スリープ状態から第１スリープ状態へ移行する。
【００２４】
＜第１スリープ状態時の給電状態＞
次に、図５を参照して、画像形成装置１０が第１スリープ状態時の給電状態を説明する。第１スリープ状態では、スイッチ２０４、２０６がＯＮ状態であり、その他のスイッチはＯＦＦ状態となる。従って、第１電源供給部２０２から出力された直流電流が、電源制御部１１５、ＲＡＭ１０３、画像処理部１１２、ＣＰＵ１０２、ＲＯＭ１０７、及び操作部１０５に供給され、電池からの電力が割り込みタイマ１１４に供給される。
【００２５】
ＣＰＵ１０２は、第１スリープ状態へ移行後に一定時間、操作部Ｉ／Ｆ１０４及びネットワークＩ／Ｆ１０６からの入力がなければ制御信号Ｐによって電源制御部１１５へ第２スリープ状態への移行通知を行う。制御信号Ｐの第２スリープ状態への移行通知を受けると、電源制御部１１５は第２スリープ状態へ移行するように制御を行う。第１スリープ状態時に操作部Ｉ／Ｆ１０４及びネットワークＩ／Ｆ１０６からの入力を受け付けると、ＣＰＵ１０２は制御信号Ｐによって電源制御部１１５へスタンバイ状態への移行通知を行う。制御信号Ｐのスタンバイ状態への移行通知を受けると電源制御部１１５はスタンバイ状態へ移行するように制御を行う。本制御フローについては図９を用いて詳細に説明する。
【００２６】
＜スタンバイ時の給電状態＞
次に、図６を参照して、画像形成装置１０がスタンバイ時の給電状態を説明する。スタンバイ状態では各スイッチ２０４〜２１０がＯＮ状態となる。従って、第１電源供給部２０２から出力された直流電流が、電源制御部１１５、ＲＡＭ１０３、画像処理部１１２、ＣＰＵ１０２、ＲＯＭ１０７、及び操作部１０５に供給され、電池からの電力が割り込みタイマ１１４に供給される。さらに、第２電源供給部２０３から出力される直流電流が、ファックス１１０、プリンタ１０８、及びスキャナ１１３に供給される。
【００２７】
ＣＰＵ１０２はスタンバイ状態へ移行後に一定時間、操作部Ｉ／Ｆ１０４及びネットワークＩ／Ｆ１０６からの入力がなければ制御信号Ｐによって電源制御部１１５へ第１スリープ状態への移行通知を行う。制御信号Ｐの第１スリープ状態への移行通知を受けると、電源制御部１１５は、第１スリープ状態へ移行するように制御を行う。本制御フローについては図８を用いて詳細に説明する。
【００２８】
＜操作部＞
次に、図７を参照して、本実施形態に係る操作部１０５の詳細を説明する。操作部１０５はＣＰＵ１０２によって制御される。操作部１０５には、タッチパネル７０１、コピーＬＥＤキー７０２、ジョブキャンセルキー７０３、及びエラーＬＥＤ７０４が設けられる。
【００２９】
タッチパネル７０１は、画像形成装置１０に関する表示及び設定、動作に関するユーザ操作を受け付ける表示デバイスである。ユーザは基本的にタッチパネル７０１を用いて画像形成装置１０の操作を行うが、ユーザビリティ向上のため特定機能専用のコピーＬＥＤキー７０２、ジョブキャンセルキー７０３、及びエラーＬＥＤ７０４が設けられる。
【００３０】
コピーＬＥＤキー７０２はコピー可能な状態のときに点灯する。コピーＬＥＤキー７０２の押下を検知すると、ＣＰＵ１０２はスキャナ１１３及びプリンタ１０８を制御してコピー動作を行う。ジョブキャンセルキー７０３の押下を検知すると、ＣＰＵ１０２は現在処理しているジョブの中止処理を行う。エラーＬＥＤ７０４は画像形成装置１０にエラーが発生している場合に点灯する。また、画像形成装置１０が第１スリープ状態にある場合は、電力供給されているもののタッチパネルやＬＥＤを消灯するように、ＣＰＵ１０２によって制御される。
【００３１】
＜動作フロー１＞
次に、図８を参照して、本実施形態に係る画像形成装置１０がスタンバイ状態から第１スリープ状態へ移行する際の処理手順を説明する。以下で説明する処理は、例えばＣＰＵ１０２がＲＯＭ１０７に格納された制御プログラムをＲＡＭ１０３に読み出して実行することにより実現される。
【００３２】
Ｓ８０１で、ＣＰＵ１０２は、制御信号Ｐを用いて電源制御部１１５へ第１スリープ状態への移行を指示する。本実施形態では、第１スリープ状態へ移行する契機としては、例えば、第２スリープ状態から一定時間経過後の移行や、ユーザ操作による移行がある。ユーザ操作による移行については、操作部１０５を介して所定の入力を受け付けることを条件としてもよい。
【００３３】
次に、Ｓ８０２で、ＣＰＵ１０２は、エンジン復帰可能フラグをＯＦＦにする。エンジン復帰可能フラグはＲＡＭ１０３に格納される値でありＯＮ、ＯＦＦを示すいずれかの値（例えば、０、１）を保持する。エンジン復帰可能フラグはファックス１１０、プリンタ１０８、及びスキャナ１１３がスタンバイ状態への移行が可能かどうかを示す値である。当該フラグは、第２電源供給部２０３の電力制御の制限上、第１スリープ状態へ移行後に一定時間（制限時間に相当）はスタンバイ状態へ復帰できないため設けられるものである。つまり、第２電源系統のデバイスは、第１電源系統のデバイスと比較して、スリープ状態へ移行してからスタンバイ状態への移行が可能となるタイミングが遅い。従って、第１電源系統のデバイスがスタンバイ状態に移行した際に一括でＬＥＤキー等を点灯すると、第２電源系統のデバイスがスタンバイ状態へ移行していない可能性もあり、矛盾が生じてしまう。そこで、エンジン復帰可能フラグを利用して、このような矛盾を解消すべく制御を行っている。ここでは、一例として制限時間を７秒としている。
【００３４】
次に、Ｓ８０３で、ＣＰＵ１０２は上記制限時間を計時するためのタイマを開始させる。続いて、Ｓ８０４で、ＣＰＵ１０２は、７秒が経過したか否かを判断し、７秒経過すればＳ８０５に進む。より詳細には、ＣＰＵ１０２は、割り込みタイマ１１４が満了して割り込みが発生することにより、所定時間の７秒が経過したと判断する。Ｓ８０５で、ＣＰＵ１０２は、エンジン復帰可能フラグをＯＮに設定し、処理を終了する。このように、エンジン復帰可能フラグがＯＮに設定されると、第２電源系統のデバイスがスタンバイ状態へ移行可能であることを示す。なお、本実施形態では、エンジン復帰可能フラグにより、第２電源系統のデバイスがスタンバイ状態へ移行可能であるか否かを判断する制御について説明するが、本発明を当該フラグの制御に限定する意図はない。即ち、第２電源系統のデバイスがスタンバイ状態へ移行可能であるか否かを判断できれば、どのような制御であってもよい。
【００３５】
＜動作フロー２＞
次に、図９を参照して、本実施形態に係る画像形成装置１０が第１スリープ状態からスタンバイ状態へ移行する際の処理手順を説明する。以下で説明する処理は、例えばＣＰＵ１０２がＲＯＭ１０７に格納された制御プログラムをＲＡＭ１０３に読み出して実行することにより実現される。
【００３６】
Ｓ９０１で、ＣＰＵ１０２は、操作部１０５のタッチパネル７０１を点灯させる。上述したように、第１スリープ状態時に操作部Ｉ／Ｆ１０４及びネットワークＩ／Ｆ１０６からの入力を受け付けると、スタンバイ状態への移行を行うため、まずはタッチパネル７０１の点灯を行う。続いて、Ｓ９０２で、ＣＰＵ１０２は、図８のフローで制御されているエンジン復帰可能フラグの値を確認する。ここで、エンジン復帰可能フラグの値がＯＮであればＳ９０３に進み、ＣＰＵ１０２は、制御信号Ｐを用いて電源制御部１１５へスタンバイ状態への移行を指示する。つまり、第１電源系統デバイス及び第２電源系統デバイスがスタンバイ状態へ復帰可能となるまで待機する。
【００３７】
次に、Ｓ９０４で、ＣＰＵ１０２は、操作部１０５のコピーＬＥＤキー７０２を点灯させ、処理を終了する。本フローの制御により、ＣＰＵ１０２が操作部１０５のコピーＬＥＤキー７０２を点灯させる前の状態は、タッチパネル７０１を点灯させる一方で、コピーＬＥＤキー７０２とエラーＬＥＤ７０４は消灯された状態となる。また、ＣＰＵ１０２が操作部１０５のコピーＬＥＤキー７０２を点灯した後の状態は、タッチパネル７０１とコピーＬＥＤキー７０２が点灯され、エラーＬＥＤ７０４は消灯された状態となる。
【００３８】
エンジン復帰可能フラグの値がＯＦＦの場合であってもタッチパネル７０１の操作による設定変更などは操作部１０５、ＣＰＵ１０２、ＲＯＭ１０７、及びＲＡＭ１０３で動作を行うため動作可能である。一方でコピーＬＥＤキー７０２を押下して実行するコピー動作についてはエンジン復帰可能フラグの値がＯＦＦの場合、プリンタ１０８、及びスキャナ１１３に電力が供給されていないため動作が行えない。従って、本実施形態では、上述のような操作部１０５の制御を行い、画像形成装置１０の状態と、操作部１０５の各スイッチ等の点灯状態を整合させている。
【００３９】
以上説明したように、本実施形態に係る印刷装置は、スタンバイ状態と、該スタンバイ状態よりも電力消費を抑えた省電力状態とを含む。また、本印刷装置は、装置を統括的に制御するＣＰＵ（システムコントローラ）と、装置の機能を提供するための複数のエンジンと、スタンバイ状態及び前記省電力状態に従って、ＣＰＵ及び複数のエンジンへの電力供給を制御する電源制御部とを備える。また、電源制御部は、省電力状態からスタンバイ状態へ移行させる際に、複数のエンジンがスタンバイ状態へ復帰可能となったことが確認された後に、スタンバイ状態における電力制御を行う。これにより、本実施形態によれば、システムコントローラと、エンジンとで、スリープ状態からの復帰条件が異なる場合においても、実行不可能な動作を好適に示すユーザインタフェースを提供することができる。
【００４０】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４１】
１０：画像形成装置、１０１：コントローラユニット、１０２：ＣＰＵ、１０３：ＲＡＭ、１０４：操作部Ｉ／Ｆ、１０５：操作部、１０６：ネットワークＩ／Ｆ、１０７：ＲＯＭ、１０８：プリンタ、１０９：イメージバスＩ／Ｆ、１１０：ファックス、１１１：デバイスＩ／Ｆ、１１２：画像処理部、１１３：スキャナ、１１４：割り込みタイマ、１１５：電源制御部、１１６：画像バス、１１７：システムバス
【図１】
2020062760.tif 000003
【図２】
2020062760.tif 000004
【図３】
2020062760.tif 000005
【図４】
2020062760.tif 000006
【図５】
2020062760.tif 000007
【図６】
2020062760.tif 000008
【図７】
2020062760.tif 000009
【図８】
2020062760.tif 000010
【図９】
2020062760.tif 000011